(57)【要約】【課題】フィッティング調整を使用者自身で容易に行えるようにする。【解決手段】聴覚補装具送信機１００は、フィッティングモードにおいて、送信制御部１１０によってフィッティング調整音制御部１０５を制御して、フィッティング調整音発生部１０４から周波数帯域別で段階的に増幅されるフィッティング調整音を送信部を介して受信機２００に送信させるとともに、操作部１０１から聴取可否に対する返答を受信したときの増幅値に基づいた利得をその周波数の利得調整値として周波数帯域別にメモリ１１１に記憶し、聴取モードにおいて、イコライザ１０７を制御して、メモリ１１１に記憶された周波数帯域別利得調整値に基づいてマイクロホン１０２から入力された外部音響を周波数帯域別に利得調整して送信部を介して受信機２００に送信する。【選択図】図２
2013247559.tif 000002
【特許請求の範囲】
【請求項１】
使用者の耳に装着されて該使用者に対して外部音響を出力する受信機に対して、聴取した外部音響を使用者に適するように所定の処理を施して送信して、使用者の外部音響の聴取を補助する聴覚補装具の聴覚補装具送信機において、
使用者に適した周波数帯域別利得を調整するフィッティングモードと外部音響を聴取する聴取モードとを切り換え、フィッティングモードのときに、フィッティング調整音の聴取可否に対する使用者の返答を確認する聴取確認信号を発生する操作部と、
外部音響を取得するマイクロホンと、
前記マイクロホンを通じて入力された外部音響を増幅する増幅器と、
フィッティング調整音を発生するフィッティング調整音発生部と、
前記フィッティング調整音発生部から発生するフィッティング調整音の周波数及び増幅レベルを制御するフィッティング調整音制御部と、
周波数帯域別利得調整値を記憶するメモリと、
前記増幅器によって増幅された外部音響を前記周波数帯域別利得調整値に基づいて利得調整するイコライザと、
前記イコライザによって利得調整された外部音響を前記受信機に送信する送信部と、
前記フィッティング調整音制御部及び前記イコライザを制御する送信制御部とを備え、
前記送信制御部は、
フィッティングモードのとき、前記フィッティング調整音制御部を制御して、前記フィッティング調整音発生部から周波数毎に段階的に増幅されたフィッティング調整音を前記送信部を介して前記受信機に送信させるとともに、前記操作部から聴取可否に対する返答が入力されたときの増幅値に基づいた利得をその周波数の利得調整値として周波数帯域別に前記メモリに記憶し、前記聴取モードのとき、前記イコライザを制御して、該メモリに記憶された周波数帯域別利得調整値に基づいて前記マイクロホンを通じて入力された外部音響を周波数帯域別に利得調整して前記送信部を介して前記受信機に送信することを特徴とする聴覚補装具送信機。
【請求項２】
前記送信制御部は、前記フィッティングモードにおいて、前記一の周波数帯域におけるフィッティング調整音が所定の最高増幅値になっても前記操作部から聴取確認信号が入力されなければ、該最高増幅値に基づいた利得を該一の周波数帯域の利得調整値として前記メモリに記憶することを特徴とする請求項１に記載の聴覚補装具送信機。
【請求項３】
前記フィッティングモードに関連する案内情報を含む音声案内を、前記イコライザ及び前記送信部を介して前記受信機に送信する音声案内部を更に備え、
前記送信制御部は、前記フィッティングモードにおいて、前記聴取確認信号が入力されると、前記音声案内部及び前記イコライザを制御して、前記音声案内部から前記イコライザに入力された音声案内を、そのときの周波数の利得調整値で利得調整して前記送信部を介して前記受信機に送信させることを特徴とする請求項１又は請求項２に記載の聴覚補装具送信機。
【請求項４】
使用者の外部音響の聴取を補助する聴覚補装具において、
聴取した外部音響を使用者に適するように所定の処理を施して送信する聴覚補装具送信機と、
使用者の耳に装着され、前記聴覚補装具送信機から送信された外部音響を受信し、該受信した外部音響を使用者に出力する聴覚補装具受信機とを備え、
前記聴覚補装具送信機は、
使用者に適した周波数帯域別利得を調整するフィッティングモードと外部音響を聴取する聴取モードとを切り換え、フィッティングモードのときに、フィッティング調整音の聴取可否に対する使用者の返答を確認する聴取確認信号を発生する操作部と、
外部音響を取得するマイクロホンと、
前記マイクロホンを通じて入力された外部音響を増幅する増幅器と、
フィッティング調整音を発生するフィッティング調整音発生部と、
前記フィッティング調整音発生部から発生するフィッティング調整音の周波数及び増幅レベルを制御するフィッティング調整音制御部と、
周波数帯域別利得調整値を記憶するメモリと、
前記増幅器によって増幅された外部音響を前記周波数帯域別利得調整値に基づいて利得調整するイコライザと、
前記イコライザによって利得調整された外部音響を前記聴覚補装具受信機に送信する送信部と、
前記フィッティング調整音制御部及び前記イコライザを制御する送信制御部とを備え、
前記送信制御部は、
フィッティングモードのとき、前記フィッティング調整音制御部を制御して、前記フィッティング調整音発生部から周波数毎に段階的に増幅されたフィッティング調整音を前記送信部を介して前記聴覚補装具受信機に送信させるとともに、前記操作部から聴取可否に対する返答が入力されたときの増幅値に基づいた利得をその周波数の利得調整値として周波数帯域別に前記メモリに記憶し、前記聴取モードのとき、前記イコライザを制御して、該メモリに記憶された周波数帯域別利得調整値に基づいて前記マイクロホンを通じて入力された外部音響を周波数帯域別に利得調整して前記送信部を介して前記聴覚補装具受信機に送信することを特徴とする聴覚補装具。
【請求項５】
前記送信制御部は、前記周波数帯域別利得調整値を、前記聴覚補装具受信機のメモリに記憶することを特徴とする請求項４に記載の聴覚補装具。
【発明の詳細な説明】
【技術分野】
【０００１】
本発明は、フィッティング調整を使用者自身で容易に行うことが可能であり、使用者の外部音響の聴取を補助する補聴器や集音器等の聴覚補装具の聴覚補装具送信機及び聴覚補装具に関する。
【背景技術】
【０００２】
従来から、聴覚障害者が装着する補聴器や集音器等の聴覚補装具としては、外部音響を取得するマイクロホンと、フィッティング調整によって得られた音量利得で増幅した外部音響を使用者に出力するスピーカとが一体化した一体型のものや、マイクロホンとスピーカとが分離したワイヤレス分離型のものが提案されている（例えば、特許文献１参照。）。
【０００３】
このような聴覚補装具を適正に使用するためには、使用者個々の聴力、すなわち、使用者の聴力の周波数特性に応じて音量利得を調整するフィッティング調整を定期的に実施しなければならない。しかしながら、フィッティング調整は、例えばフィッティング調整音であるビープ音を周波数毎に発生して周波数特性を測定するオージオメータや、測定した周波数特性に応じて聴覚補装具の利得を調整するソフトウェアやコンピュータ等の専用機器が必要なために、聴覚補装具の販売店等でしか行うことができず、使用者自身で容易に行うことができなかった。
【先行技術文献】
【特許文献】
【０００４】
【特許文献１】特開２０１１−１０１３５６号公報
【発明の概要】
【発明が解決しようとする課題】
【０００５】
本発明は、以上のような課題に鑑みてなされたものであり、フィッティング調整を使用者自身で容易に行うことが可能な聴覚補装具送信機及び聴覚補装具を提供することを目的とする。
【課題を解決するための手段】
【０００６】
本発明に係る聴覚補装具送信機は、使用者の耳に装着されて該使用者に対して外部音響を出力する受信機に対して、聴取した外部音響を使用者に適するように所定の処理を施して送信して、使用者の外部音響の聴取を補助する聴覚補装具の聴覚補装具送信機であって、使用者に適した周波数帯域別利得を調整するフィッティングモードと外部音響を聴取する聴取モードとを切り換え、フィッティングモードのときに、フィッティング調整音の聴取可否に対する使用者の返答を確認する聴取確認信号を発生する操作部と、外部音響を取得するマイクロホンと、前記マイクロホンを通じて入力された外部音響を増幅する増幅器と、フィッティング調整音を発生するフィッティング調整音発生部と、前記フィッティング調整音発生部から発生するフィッティング調整音の周波数及び増幅レベルを制御するフィッティング調整音制御部と、周波数帯域別利得調整値を記憶するメモリと、前記増幅器によって増幅された外部音響を前記周波数帯域別利得調整値に基づいて利得調整するイコライザと、前記イコライザによって利得調整された外部音響を前記受信機に送信する送信部と、前記フィッティング調整音制御部及び前記イコライザを制御する送信制御部とを備えている。そして、前記送信制御部は、フィッティングモードのとき、前記フィッティング調整音制御部を制御して、前記フィッティング調整音発生部から周波数毎に段階的に増幅されたフィッティング調整音を前記送信部を介して前記受信機に送信させるとともに、前記操作部から聴取可否に対する返答が入力されたときの増幅値に基づいた利得をその周波数の利得調整値として周波数帯域別に前記メモリに記憶し、前記聴取モードのとき、前記イコライザを制御して、該メモリに記憶された周波数帯域別利得調整値に基づいて前記マイクロホンを通じて入力された外部音響を周波数帯域別に利得調整して前記送信部を介して前記受信機に送信する。
【０００７】
また、本発明に係る聴覚補装具は、使用者の外部音響の聴取を補助する聴覚補装具であって、以上のような構成を備える聴覚補装具送信機と、使用者の耳に装着され、聴覚補装具送信機によって使用者に適するように所定の処理が施されて聴覚補装具送信機から送信された外部音響を受信し、受信した外部音響を使用者に出力する受信機とを備えている。
【発明の効果】
【０００８】
本発明に係る聴覚補装具は、フィッティングモードにおいて、聴覚補装具送信機が段階的に増幅された一の周波数帯域のフィッティング調整音を聴覚補装具受信機に送信し、使用者がこのフィッティング調整音が聴取可能又は最適と考える音量となったときに使用者が聴覚補装具送信機の操作部を操作することで、聴覚補装具送信機の送信制御部に聴取確認信号が入力されると、聴覚補装具送信機の送信制御部がそのときの増幅値に基づいた利得をこの周波数帯域の利得調整値としてメモリに記憶し、このような動作を複数の周波数帯域で順次行うことで、使用者に適した周波数帯域別利得調整値を得ることができる。したがって、本発明の聴覚補装具は、販売店等に行くことなく、フィッティング調整を使用者自身で容易に行うことができる。
【図面の簡単な説明】
【０００９】
【図１】本発明を係る聴覚補装具を示した斜視図である。
【図２】本発明を係る聴覚補装具のブロック図である。
【図３】使用者に適した利得を調整する手順を示したフローチャートである。
【発明を実施するための形態】
【００１０】
以下、本発明を適用した聴覚補装具について、図面を参照して説明する。
【００１１】
図１及び図２に示すように、聴覚補装具１は、聴覚障害者の外部音響の聴取を補助する補聴器や集音器等であって、外部音響を聴取し、聴取した外部音響を使用者に適するように所定の処理を施して送信する聴覚補装具送信機１００と、使用者の耳１０等に装着され、聴覚補装具送信機１００から送信された外部音響を受信し、受信した外部音響を使用者に出力する聴覚補装具受信機２００とを備えている。
【００１２】
聴覚補装具送信機１００は、使用者が操作する操作部１０１と、外部音響を取得して音響信号に変換するマイクロホン１０２と、マイクロホン１０２によって変換された音響信号を増幅する増幅器１０３と、ビープ音を発生するビープ音発生部１０４と、ビープ音発生部１０４を制御するビープ音制御部１０５と、使用者に音声案内を行う音声案内部１０６と、音響信号を等化するイコライザ１０７と、イコライザ１０７に等化された音響信号を変調する変調部１０８と、変調部１０８によって変調された音響信号を送信する無線送信アンテナ１０９と、イコライザ１０７等を制御する送信制御部１１０と、周波数帯域別利得調整値を記憶するメモリ１１１と、使用者の聴力の周波数特性等を表示する表示部１１２とを有している。聴覚補装具送信機１００は、マイクロホン１０２を通じて入力された外部音響からなる音響信号に使用者に適するように所定の処理を施して、所定の処理を施した音響信号を、無線送信アンテナ１０９を介して、短距離無線通信、例えばブルートゥース（Bluetooth（登録商標））を用いて聴覚補装具受信機２００に送信する。
【００１３】
操作部１０１は、使用者個々の聴力や周囲環境に応じて周波数毎に使用者に適するように音量利得を調整するフィッティングモードを選択するフィッティングモード選択キー１０１ａと、使用者の聴取可否を確認する聴取確認信号を発生する確認キー１０１ｂと、外部音響を聴取する聴取モードを選択する聴取モード選択キー１０１ｃとを含む各種の操作キーからなり、聴覚補装具送信機１００の筺体１１３上に設けられている。なお、操作部１０１は、タッチパネルからなるようにしても良い。
【００１４】
マイクロホン１０２は、聴取モードにおいて、外部音響を聴取して音響信号に変換し、変換した音響信号を増幅器１０３に出力する。
【００１５】
増幅器１０３は、例えば、自動利得制御器（Auto Gain Controller：ＡＧＣ）からなり、聴取モードにおいて、送信制御部１１０の制御の下に、マイクロホン１０２から入力された音響信号を、自動的に一定のレベルになるように増幅してイコライザ１０７に出力する。
【００１６】
ビープ音発生部１０４は、フィッティングモードにおいて、ビープ音制御部１０５の制御の下に、ビープ音信号を、予め設定された周波数及び増幅レベルで発生させて、イコライザ１０７に出力する。ここで、ビープ音は、例えば「ピー」というような音であり、使用者が聴取可否であるか、すなわち、聞こえるか否かを識別するためのフィッティング調整音を指す。
【００１７】
ビープ音制御部１０５は、フィッティングモードにおいて、送信制御部１１０の制御の下に、ビープ音発生部１０４に発生させるビープ音の周波数及び増幅レベルを制御する。
【００１８】
音声案内部１０６は、フィッティングモード及び聴取モードにおいて、送信制御部１１０の制御の下に、内部メモリに格納されている各種の音声案内信号をイコライザ１０７に出力する。例えば、音声案内部１０６は、操作部１０１の操作キーが操作されると、対応する音声案内信号をイコライザ１０７に出力する。
【００１９】
イコライザ１０７は、聴取モードにおいては、送信制御部１１０の制御の下に、増幅器１０３から入力された音響信号を、後述するように設定された周波数帯域別利得調整値に基づいて増幅して、変調部１０８に出力する。また、イコライザ１０７は、フィッティングモードにおいては、ビープ音発生部１０４から入力されたビープ音信号をそのまま変調部１０８に出力する。
【００２０】
変調部１０８は、イコライザ１０７から入力された音響信号、ビープ音信号及び音声案内信号をデジタル変調し、変調して得られた信号を、無線送信アンテナ１０９を駆動して聴覚補装具受信機２００に送信する。
【００２１】
送信制御部１１０は、例えばマイコンからなり、フィッティングモード時の動作プログラム及び聴取モード時の動作プログラム等が内部メモリに格納されている。そして、送信制御部１１０は、操作部１０１のフィッティングモード選択キー１０１ａが操作されると、聴覚補装具送信機１００をフィッティングモードに切り換える。更に、送信制御部１１０は、フィッティングモードにおいては、ビープ音制御部１０５を制御して、ビープ音発生部１０４で周波数毎に段階的に増幅されたビープ音信号を聴覚補装具受信機２００に送信する。
【００２２】
ビープ音発生部１０４によって生成されるビープ音の周波数は、例えば、４００Ｈｚ、８００Ｈｚ、１ｋＨｚ、２ｋＨｚ、４ｋＨｚの５つの周波数からなる。ビープ音信号は、これらの周波数でそれぞれ独立的に発生され、各周波数について所定の基本音響レベル（例えば０ｄＢ）から開始して、３ｄＢずつ段階的に増幅するように、生成される。なお、上述したビープ音の周波数は、あくまで一例であり、これら以外の周波数であっても良く、例えば、所謂、オージオメータで用いられる、１２５Ｈｚ、２５０Ｈｚ、５００Ｈｚ、１ｋＨｚ、２ｋＨｚ、４ｋＨｚ、８ｋＨｚとする等、１２５Ｈｚ〜８ｋＨｚの中から５つ以上又は５つ以下の周波数からなるようにしても良い。更に、ビープ音信号は、何ｄＢずつ段階的に増幅するかは適宜変更可能である。
【００２３】
更に、送信制御部１１０は、各周波数において段階的に増幅させたビープ音信号を聴覚補装具受信機２００に送信している最中に、使用者が確認キー１０１ｂを押すことで、確認キー１０１ｂからの聴取確認信号が入力されると、そのときの増幅値に基づいてその周波数帯域で必要とされる音量利得を算出し、算出した音量利得を利得調整値として周波数帯域別にメモリ１１１に記憶する。
【００２４】
具体的に、送信制御部１１０は、先ず、４００Ｈｚにおいて所定時間毎に段階的に３ｄＢずつ音量が増幅するビープ音信号を聴覚補装具受信機２００に送信し、使用者がこのビープ音信号を聴取可能又は使用者が最適と考える音量となったときに使用者によって確認キー１０１ｂが押されて、確認キー１０１ｂから聴取確認信号が入力されると、そのときの増幅値に基づいて４００Ｈｚで必要とされる利得を算出し、算出した利得を利得調整値としてメモリ１１１に記憶する。次いで、送信制御部１１０は、８００Ｈｚにおいて所定時間毎に段階的に３ｄＢずつ音量が増幅するビープ音信号を聴覚補装具受信機２００に送信し、使用者がこのビープ音信号を聴取可能又は使用者が最適と考える音量となったときに使用者によって確認キー１０１ｂが押されて、確認キー１０１ｂから聴取確認信号が入力されると、そのときの増幅値に基づいて算出された８００Ｈｚで必要とされる利得を利得調整値としてメモリ１１１に記憶する。同様にして、送信制御部１１０は、１ｋＨｚ、２ｋＨｚ、４ｋＨｚについても、それぞれ、聴取確認信号が入力された際の増幅値に基づいて算出されたその周波数で必要とされる利得を利得調整値としてメモリ１１１に記憶する。
【００２５】
このようにして、送信制御部１１０は、４００Ｈｚ帯域、８００Ｈｚ帯域、１ｋＨｚ帯域、２ｋＨｚ帯域、４ｋＨｚ帯域の５つの周波数帯域に対して使用者に適した周波数帯域別利得調整値を得る。なお、送信制御部１１０は、段階的に増幅して所定の周波数毎の最高増幅値になっても確認キー１０１ｂから聴取確認信号が入力されなければ、この最高増幅値に基づいてその周波数帯域で必要とされる利得を算出し、算出した利得を利得調整値としてメモリ１１１に記憶する。
【００２６】
一方、送信制御部１１０は、操作部１０１の聴取モード選択キー１０１ｃが操作されると、聴覚補装具送信機１００を聴取モードに切り換える。そして、送信制御部１１０は、メモリ１１１から周波数帯域別利得調整値を読み出し、イコライザ１０７を制御して、読み出した周波数帯域別利得調整値に基づいて、マイクロホン１０２を介して入力された外部音響からなる音響信号を等化、すなわち、周波数帯域別に増幅させて、使用者に適するように増幅された音響信号を聴覚補装具受信機２００に送信する。
【００２７】
更に、送信制御部１１０は、フィッティングモード及び聴取モードにおいて、表示データを表示部１１２に表示させる。例えば、表示部１１２には、操作部１０１が操作されると、その操作に対応する表示データが表示される。また、表示部１１２には、使用者の聴力の周波数特性（聴覚感度）がグラフや数値等で表示される。これにより、使用者は、現状の聴力の周波数特性（聴覚感度）を容易に把握することができる。
【００２８】
聴覚補装具受信機２００は、その形状が耳１０に着用可能なように形成されており、短距離無線通信、例えばブルートゥースに対応可能なイヤホンである。なお、ヘッドホンであっても良い。そして、聴覚補装具受信機２００は、無線受信アンテナ２０１を介して受信された聴覚補装具送信機１００からの音響信号等を復調する受信部２０２と、受信部２０２で復調された音響信号等を増幅する受信処理部２０３と、受信処理部２０３によって増幅された音響信号等に基づいた音響を使用者に出力するスピーカ２０４とを有している。したがって、聴覚補装具受信機２００を装着した使用者は、例えば聴取モードにおいては、聴覚補装具送信機１００によって使用者に適するように利得調整された外部音響を聞くことができる。
【００２９】
次に、以上のように構成された聴覚補装具１において、使用者個々の聴力や周囲環境に応じて周波数毎に使用者に適した利得を使用者自身によって調整する調整方法について、図３のフローチャートを参照して説明する。
【００３０】
先ず、ステップＳ１において、聴覚補装具送信機１００の送信制御部１１０は、使用者によって操作部１０１のフィッティングモード選択キー１０１ａが操作されると、フィッティングモードに切り換える。すると、ステップＳ２において、送信制御部１１０は、先ず、第１の周波数、例えば４００Ｈｚの所定の基本音響レベルのビープ音信号を聴覚補装具受信機２００に送信する。
【００３１】
次に、ステップＳ３において、送信制御部１１０は、予め設定された待機時間内に、確認キー１０１ｂからの聴取確認信号が入力されたか否かを判定する。この際、所定の待機時間内に聴取確認信号が入力されなかったと判定した場合、送信制御部１１０は、ステップＳ４において、この周波数の所定の最高増幅値であるか否かを判定する。そして、送信制御部１１０は、所定の最高増幅値ではないと判定した場合、ステップＳ５において、予め設定された増幅分、例えば３ｄＢずつ段階的にビープ音信号を増幅させて、聴覚補装具受信機２００に送信し、ステップＳ３に戻る。
【００３２】
そして、送信制御部１１０は、ステップＳ３において、所定の待機時間内に聴取確認信号が入力された場合、ステップＳ６において、そのときの増幅値に基づいて算出された、現在適用されている周波数、ここでは４００Ｈｚで必要とされる利得を利得調整値として、メモリ１１１に記憶する。また、送信制御部１１０は、ステップＳ４において、所定の最高増幅値と判定した場合、ステップＳ６において、その最高増幅値に基づいて算出された、現在適用されている周波数、ここでは４００Ｈｚで必要とされる利得を利得調整値として、メモリ１１１に記憶する。
【００３３】
次いで、送信制御部１１０は、ステップＳ７において、フィッティングモードに関連する音声案内信号を、ステップＳ６で更新した４００Ｈｚの利得調整値で増幅して、聴覚補装具受信機２００に送信する。例えば、送信制御部１１０は、「次の周波数である８００ｋＨｚのビープ音を段階的に増幅しつつ送り出すので、適切な感度で聴取されれば、確認キーを押してください。」との音声案内を、ステップＳ６で更新した４００Ｈｚの利得調整値で増幅して、聴覚補装具受信機２００に送信する。すなわち、使用者には、聴取感度が良好であると確認された増幅レベルで音声案内が提供される。
【００３４】
次に、ステップＳ８において、送信制御部１１０は、最終周波数まで遂行したかを判定する。そして、送信制御部１１０は、最終周波数まで遂行されていないと判定した場合、ステップＳ９において、次の周波数、例えば８００Ｈｚの基本音響レベルのビープ音信号を聴覚補装具受信機２００に送信する。そして、送信制御部１１０は、ステップＳ３に戻り、８００Ｈｚ、１ｋＨｚ、２ｋＨｚ、４ｋＨｚにおいて、ステップＳ３〜ステップＳ９の動作を繰り返し、これらの周波数毎の利得調整値をメモリ１１１に記憶していく。そして、送信制御部１１０は、ステップＳ８において、最終周波数まで完了したと判定した場合、終了する。これにより、聴覚補装具送信機１００は、この使用者の聴力の周波数特性（聴覚感度）に最適な周波数帯域別利得調整値が得られる。
【００３５】
なお、送信制御部１１０は、この後に、使用者によって操作部１０１の聴取モード選択キー１０１ｃが操作されて聴取モードに切り換わると、メモリ１１１から周波数帯域別利得調整値を読み出し、読み出した周波数帯域別利得調整値に基づいて、マイクロホン１０２を介して入力された外部音響からなる音響信号を周波数帯域別に利得調整して、利得調整した音響信号を聴覚補装具受信機２００に送信する。したがって、聴覚補装具受信機２００を装着した使用者は、自身の聴力の周波数特性（聴覚感度）に適するように利得調整された外部音響を聞くことができる。
【００３６】
以上のように、本発明の聴覚補装具１は、フィッティングモードにおいて、先ず、聴覚補装具送信機１００が段階的に増幅される一の周波数のビープ音信号を聴覚補装具受信機２００に送信し、使用者がこのビープ音信号を聴取可能又は最適と考える音量となったときに聴覚補装具送信機１００の操作部１０１の確認キー１０１ｂを押すことで、聴覚補装具送信機１００の送信制御部１１０に確認キー１０１ｂからの聴取確認信号が入力されると、送信制御部１１０がそのときの増幅値に基づいて算出されたこの周波数で必要とされる利得を利得調整値としてメモリ１１１に記憶し、このような動作を複数の周波数で行うことで、使用者に適した周波数帯域別利得調整値を得ることができる。したがって、本発明の聴覚補装具１は、販売店等に行くことなく、フィッティング調整を使用者自身で容易に行うことができる。更に、本発明の聴覚補装具１は、販売店等に行くことなくフィッティング調整を行うことができるので、周囲環境に応じてフィッティング調整を行う際に、その場で、周囲環境を考慮しながら、周囲環境に応じたフィッティング調整を行うことができる。
【００３７】
なお、聴覚補装具１の聴覚補装具受信機２００は、周波数帯域別利得調整値を聴覚補装具送信機１００から受信して、メモリ２０５に記憶するようにしても良い。このような場合には、聴覚補装具送信機１００が故障したり、聴覚補装具送信機１００を紛失したり、その他の理由等によって、使用者が新たな聴覚補装具送信機１００を使用する際に、新たな聴覚補装具送信機１００が聴覚補装具受信機２００のメモリ２０５から周波数帯域別利得調整値を読み出すことで、同じ設定とすることができる。すなわち、メモリ２０５に記憶された周波数帯域別利得調整値は、聴覚補装具送信機１００のメモリ１１１に記憶された周波数帯域別利得調整値のバックアップデータとして機能する。
【００３８】
更に、聴覚補装具送信機１００のメモリ１１１及び／又は聴覚補装具受信機２００のメモリ２０５は、内部に固定されたものでも良く、聴覚補装具送信機１００及び聴覚補装具受信機２００から着脱可能なリムーバブル記憶媒体であっても良い。
【００３９】
更に、聴覚補装具１は、ブルートゥースを用いて音響信号等を送信することに限定されるものではなく、その他の短距離無線通信技術や、ＩＥＥＥ８０２．１１仕様に準拠したＷｉＦｉや、赤外線、ＦＭ電波等、その他の無線通信技術を用いて音響信号等を送信するようにしても良い。また、聴覚補装具１は、聴覚補装具送信機１００と聴覚補装具受信機２００とを有線で接続し、有線を介して音響信号等を送信するようにしても良い。
【符号の説明】
【００４０】
１  聴覚補装具、１０  耳、１００  聴覚補装具送信機、１０１  操作部、１０１ａ  フィッティングモード選択キー、１０１ｂ  確認キー、１０１ｃ  聴取モード選択キー、１０２  マイクロホン、１０３  増幅器、１０４  ビープ音発生部、１０５  ビープ音制御部、１０６  音声案内部、１０７  イコライザ、１０８  変調部、１０９  無線送信アンテナ、１１０  送信制御部、１１１  メモリ、１１２  表示部、１１３  筺体、２００  聴覚補装具受信機、２０１  無線受信アンテナ、２０２  受信部、２０３  受信処理部、２０４  スピーカ、２０５  メモリ
【図１】
2013247559.tif 000003
【図２】
2013247559.tif 000004
【図３】
2013247559.tif 000005